(57)【要約】【課題】  ホッパの付勢力を増強させた場合であっても、確実にホッパの移動を実行することができる給送装置を提供すること。【解決手段】  給送装置（１４４）において、第１モータ（１０４）および第２モータ（３７７）のいずれか一方は、ホッパ１０１を給送ローラ側へ接近移動させ、重送された被記録媒体（Ｐ）を前記ホッパ１０１に戻す戻しレバー（３４１）を回動させ、該戻しレバー（３４１）を回動させる際、前記第１モータ（１０４）および前記第２モータ（３７７）の他方は、前記ホッパ１０１を前記給送ローラ３１１から離間する方向へ付勢手段（２３０）の付勢力に抗して移動させるように構成されていることを特徴とする。【選択図】図４
2008094509.tif 000002
【特許請求の範囲】
【請求項１】
付勢手段に付勢され移動可能なホッパを、前記付勢手段の付勢力によって給送ローラ側へ接近移動させ、第１モータの駆動力によって回転する前記給送ローラが前記ホッパに載置された被記録媒体をピックアップし下流側の搬送ローラへ給送し、第２モータの駆動力によって回転する前記搬送ローラが被記録媒体を記録領域へ搬送する給送装置であって、
前記第１モータおよび前記第２モータのいずれか一方は、重送された被記録媒体を前記ホッパに戻すことが可能な戻しレバーを回動させ、
該戻しレバーを回動させる際、前記第１モータおよび前記第２モータの他方は、前記ホッパを前記給送ローラから離間する方向へ前記付勢力に抗して移動させるように構成されていることを特徴とする給送装置。
【請求項２】
付勢手段に付勢され移動可能なホッパを、前記付勢手段の付勢力によって給送ローラ側へ接近移動させ、第１モータの駆動力によって回転する前記給送ローラが前記ホッパに載置された被記録媒体をピックアップし下流側の搬送ローラへ給送し、第２モータの駆動力によって回転する前記搬送ローラが被記録媒体を記録領域へ搬送する給送装置であって、
前記第１モータおよび前記第２モータのいずれか一方は、重送された被記録媒体を前記ホッパに戻すことが可能な戻しレバーを回動させ、
該戻しレバーを回動させる際、前記第１モータおよび前記第２モータは、前記ホッパを前記給送ローラから離間する方向へ前記付勢力に抗して移動させるように構成されていることを特徴とする給送装置。
【請求項３】
請求項１または２に記載の給送装置において、モータから前記ホッパへの動力伝達経路には、動力伝達切り替え装置が設けられていることを特徴とする給送装置。
【請求項４】
載置された被記録媒体をピックアップし給送する給送部と、
該給送部から給送された被記録媒体に記録ヘッドにより記録を実行する記録部と、を備えた記録装置であって、
前記給送部は、請求項１乃至３のいずれか１項に記載された前記給送装置を備えていることを特徴とする記録装置。
【請求項５】
付勢手段に付勢され移動可能なホッパを、前記付勢手段の付勢力によって給送ローラ側へ接近移動させ、第１モータの駆動力によって回転する前記給送ローラが前記ホッパに載置された被液体噴射媒体をピックアップし下流側の搬送ローラへ給送し、第２モータの駆動力によって回転する前記搬送ローラが被液体噴射媒体を液体噴射領域へ搬送する給送部と、前記液体噴射領域で被液体噴射媒体に液体を噴射する液体噴射部と、を備えた液体噴射装置であって、
前記第１モータおよび前記第２モータのいずれか一方は、重送された被液体噴射媒体を前記ホッパに戻すことが可能な戻しレバーを回動させ、
該戻しレバーを回動させる際、前記第１モータおよび前記第２モータの他方は、前記ホッパを前記給送ローラから離間する方向へ前記付勢力に抗して移動させるように構成されていることを特徴とする液体噴射装置。
【請求項６】
付勢手段に付勢され移動可能なホッパを、前記付勢手段の付勢力によって給送ローラ側へ接近移動させ、第１モータの駆動力によって回転する前記給送ローラが前記ホッパに載置された被液体噴射媒体をピックアップし下流側の搬送ローラへ給送し、第２モータの駆動力によって回転する前記搬送ローラが被液体噴射媒体を液体噴射領域へ搬送する給送部と、前記液体噴射領域で被液体噴射媒体に液体を噴射する液体噴射部と、を備えた液体噴射装置であって、
前記第１モータおよび前記第２モータのいずれか一方は、重送された被液体噴射媒体を前記ホッパに戻すことが可能な戻しレバーを回動させ、
該戻しレバーを回動させる際、前記第１モータおよび前記第２モータは、前記ホッパを前記給送ローラから離間する方向へ前記付勢力に抗して移動させるように構成されていることを特徴とする液体噴射装置。
【請求項７】
付勢手段によって給送ローラ側へ付勢された移動可能なホッパを、前記付勢手段の付勢力によって前記給送ローラへ接近移動させるホッパ接近行程と、
第１モータの駆動力によって前記給送ローラを回転させ、前記ホッパに載置された被記録媒体をピックアップし下流側の搬送ローラへ給送する給送工程と、
第２モータの駆動力によって前記搬送ローラを回転させ、記録領域へ被記録媒体を搬送する搬送工程と、
前記第１モータおよび前記第２モータのいずれか一方の駆動力よって、戻しレバーを回動させ、前記給送工程において重送された被記録媒体を前記ホッパに戻す戻しレバー回動工程と、
該戻しレバー回動工程と少なくとも一部が時間的に重なり、該戻しレバー回動工程の前記第１モータおよび前記第２モータの他方の駆動力よって前記ホッパを、前記付勢力に抗して前記給送ローラから離間する方向へ移動させる第１ホッパ離間工程と、を具備していることを特徴とする給送方法。
【請求項８】
付勢手段によって給送ローラ側へ付勢された移動可能なホッパを、前記付勢手段の付勢力によって前記給送ローラへ接近移動させるホッパ接近行程と、
第１モータの駆動力によって前記給送ローラを回転させ、前記ホッパに載置された被記録媒体をピックアップし下流側の搬送ローラへ給送する給送工程と、
第２モータの駆動力によって前記搬送ローラを回転させ、記録領域へ被記録媒体を搬送する搬送工程と、
前記第１モータおよび前記第２モータのいずれか一方の駆動力よって、戻しレバーを回動させ、前記給送工程において重送された被記録媒体を前記ホッパに戻す戻しレバー回動工程と、
該戻しレバー回動工程と少なくとも一部が時間的に重なり、該戻しレバー回動工程の前記第１モータおよび前記第２モータの駆動力よって前記ホッパを、前記付勢力に抗して前記給送ローラから離間する方向へ移動させる第２ホッパ離間工程と、を具備していることを特徴とする給送方法。
【発明の詳細な説明】
【技術分野】
【０００１】
本発明は、付勢手段に付勢され移動可能なホッパを、前記付勢手段の付勢力によって給送ローラ側へ接近移動させ、第１モータの駆動力によって回転する前記給送ローラが前記ホッパに載置された被記録媒体をピックアップし下流側の搬送ローラへ給送し、第２モータの駆動力によって回転する前記搬送ローラが被記録媒体を記録領域へ搬送する給送装置、該給送装置を備えた記録装置および液体噴射装置、並びに給送方法に関する。
【０００２】
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。また、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。  
また、記録装置には、インクジェットプリンタ、ワイヤドットプリンタ、レーザープリンタ、ラインプリンタ、複写機、ファクシミリ等の種類が含まれるものとする。
【背景技術】
【０００３】
従来では、揺動可能なホッパに用紙がセットされ、給送用モータの駆動によって回転する給送ローラが用紙をピックアップするように設けられている記録装置があった。そして、ホッパは、ホッパが給送ローラへ接近する方向、即ち、ホッパ上昇の方向へばねの付勢力によって付勢されている。さらに、ホッパが給送ローラから離間する移動、即ち、ホッパ下降は、給送用モータの駆動力によって実行されるように構成されていた。即ち、ホッパ上昇の際と比較してホッパ下降の際の方が、給送用モータの負荷が大となる。
【０００４】
また、給送ローラによって重送された用紙をホッパに戻す戻しレバーの回動運動も、給送用モータの駆動力によって実行されるように構成されていた。そして、戻しレバーの回動運動は、ホッパ下降の際に実行されるように構成されている。  
図６に示すのは、従来の給送装置の給送用モータの負荷を示すグラフである。グラフの縦軸は負荷トルクであり、一方、横軸は給送ローラの駆動時間である。
【０００５】
図６に示す如く、給送用モータの駆動によって、給送ローラがリセット位置から回転すると、ホッパばねの付勢力によってホッパレバーが上昇する。ここで、「リセット位置」とは、側視Ｄ型の給送ローラの弦部が用紙の案内面部と対向する姿勢位置をいう。そして、ホッパに載置された用紙が回転している給送ローラと当接するので、用紙の給送が開始される。具体的には、給送ローラがホッパに載置された用紙をピックアップし、ピックアップされた用紙は、所謂、土手分離によって一枚の用紙のみが土手部を乗り越えるように設けられている。そして、給送用モータの駆動力が給送ローラを回転させ、一枚の用紙のみを搬送ローラへ給送する。
【０００６】
さらに、給送用モータの駆動力が、ホッパばねの付勢力に抗してホッパの下降動作を開始させる。このとき、ホッパが下降するに従ってホッパばねの収縮する量が大きくなる。従って、給送用モータの負荷が徐々に大きくなる。そして、ホッパ下降動作区間中に、給送用モータの駆動力によって、重送された用紙をホッパ側へ押し戻す戻しレバーの動作が開始される。従って、給送用モータの負荷は一層大きくなる。その後、戻しレバー動作およびホッパ下降動作が完了すると、給送用モータの負荷は小さくなる。
【０００７】
以上、説明したように給送用モータの負荷は、ホッパ下降の際に集中する。  
そして、モータの負荷を低減する従来技術として、搬送ローラの駆動モータの回転トルクを解消するために、駆動モータの回転速度を変化させたものがある（例えば、特許文献１）。
【特許文献１】特開平９−２２０８３５号公報
【発明の開示】
【発明が解決しようとする課題】
【０００８】
しかしながら、ユーザの利便性を考慮して用紙セット回数を低減するため、用紙のセット可能な枚数を増加させることが考えられる。係る場合、従来よりも増加した量の用紙を積載したホッパを給送ローラへ押し付けるため、ホッパを付勢するばね力を増強する必要がある。そして、ばね力を増強すると、給送用モータの負荷は一層大きくなる。従って、上記モータ負荷を低減する従来技術では、十分に負荷を低減することができない虞がある。
【０００９】
本発明は、このような状況に鑑み成されたものであり、その課題は、ホッパの付勢力を増強させた場合であっても、確実にホッパの移動を実行することができる給送装置、該給送装置を備えた記録装置および液体噴射装置、並びに給送方法を提供することである。
【課題を解決するための手段】
【００１０】
上記課題を達成するため、本発明の第１の態様の給送装置は、付勢手段に付勢され移動可能なホッパを、前記付勢手段の付勢力によって給送ローラ側へ接近移動させ、第１モータの駆動力によって回転する前記給送ローラが前記ホッパに載置された被記録媒体をピックアップし下流側の搬送ローラへ給送し、第２モータの駆動力によって回転する前記搬送ローラが被記録媒体を記録領域へ搬送する給送装置であって、前記第１モータおよび前記第２モータのいずれか一方は、重送された被記録媒体を前記ホッパに戻すことが可能な戻しレバーを回動させ、該戻しレバーを回動させる際、前記第１モータおよび前記第２モータの他方は、前記ホッパを前記給送ローラから離間する方向へ前記付勢力に抗して移動させるように構成されていることを特徴とする。
【００１１】
本発明の第１の態様によれば、前記第１モータおよび前記第２モータのいずれか一方は、重送された被記録媒体を前記ホッパに戻すことが可能な戻しレバーを回動させ、該戻しレバーを回動させる際、前記第１モータおよび前記第２モータの他方は、前記ホッパを前記給送ローラから離間する方向へ前記付勢力に抗して移動させるように構成されている。即ち、モータの負荷となる前記戻しレバーの回動および前記ホッパの離間移動の負荷を、前記第１モータおよび前記第２モータのそれぞれに分散させるように構成されている。従って、一つのモータに対する負荷が軽減され、一方のモータのみに負荷が集中する虞がない。その結果、モータの許容負荷を超える所謂、トルクオーバーとなる虞を低減することができる。
【００１２】
本発明の第２の態様の給送装置は、付勢手段に付勢され移動可能なホッパを、前記付勢手段の付勢力によって給送ローラ側へ接近移動させ、第１モータの駆動力によって回転する前記給送ローラが前記ホッパに載置された被記録媒体をピックアップし下流側の搬送ローラへ給送し、第２モータの駆動力によって回転する前記搬送ローラが被記録媒体を記録領域へ搬送する給送装置であって、前記第１モータおよび前記第２モータのいずれか一方は、重送された被記録媒体を前記ホッパに戻すことが可能な戻しレバーを回動させ、該戻しレバーを回動させる際、前記第１モータおよび前記第２モータは、前記ホッパを前記給送ローラから離間する方向へ前記付勢力に抗して移動させるように構成されていることを特徴とする。
【００１３】
本発明の第２の態様によれば、戻しレバーを回動させる際、前記第１モータおよび前記第２モータは、前記ホッパを前記給送ローラから離間する方向へ前記付勢力に抗して移動させるように構成されている。即ち、前記ホッパの離間移動の負荷を、前記第１モータおよび前記第２モータの両方に分散させるように構成されている。前記付勢力が大きく設けられている場合に有効である。
【００１４】
本発明の第３の態様は、第１または第２の態様において、モータから前記ホッパへの動力伝達経路には、動力伝達切り替え装置が設けられていることを特徴とする。  
本発明の第３の態様によれば、第１または第２の態様と同様の作用効果に加え、モータから前記ホッパへの動力伝達経路には、動力伝達切り替え装置が設けられている。従って、前記第１モータおよび前記第２モータは、前記ホッパの離間移動の際のみ、前記ホッパに対して動力を伝達することが可能である。
【００１５】
本発明の第４の態様の記録装置は、載置された被記録媒体をピックアップし給送する給送部と、該給送部から給送された被記録媒体に記録ヘッドにより記録を実行する記録部と、を備えた記録装置であって、前記給送部は、上記第１から第３のいずれかの態様の前記給送装置を備えていることを特徴とする。  
本発明の第４の態様によれば、前記給送部は、上記第１から第３のいずれかの態様の前記給送装置を備えているので、記録装置において、上記第１から第３のいずれかの態様と同様の作用効果を得ることができる。
【００１６】
本発明の第５の態様の液体噴射装置は、付勢手段に付勢され移動可能なホッパを、前記付勢手段の付勢力によって給送ローラ側へ接近移動させ、第１モータの駆動力によって回転する前記給送ローラが前記ホッパに載置された被液体噴射媒体をピックアップし下流側の搬送ローラへ給送し、第２モータの駆動力によって回転する前記搬送ローラが被液体噴射媒体を液体噴射領域へ搬送する給送部と、前記液体噴射領域で被液体噴射媒体に液体を噴射する液体噴射部と、を備えた液体噴射装置であって、前記第１モータおよび前記第２モータのいずれか一方は、重送された被液体噴射媒体を前記ホッパに戻すことが可能な戻しレバーを回動させ、該戻しレバーを回動させる際、前記第１モータおよび前記第２モータの他方は、前記ホッパを前記給送ローラから離間する方向へ前記付勢力に抗して移動させるように構成されていることを特徴とする。
【００１７】
本発明の第６の態様の液体噴射装置は、付勢手段に付勢され移動可能なホッパを、前記付勢手段の付勢力によって給送ローラ側へ接近移動させ、第１モータの駆動力によって回転する前記給送ローラが前記ホッパに載置された被液体噴射媒体をピックアップし下流側の搬送ローラへ給送し、第２モータの駆動力によって回転する前記搬送ローラが被液体噴射媒体を液体噴射領域へ搬送する給送部と、前記液体噴射領域で被液体噴射媒体に液体を噴射する液体噴射部と、を備えた液体噴射装置であって、前記第１モータおよび前記第２モータのいずれか一方は、重送された被液体噴射媒体を前記ホッパに戻すことが可能な戻しレバーを回動させ、該戻しレバーを回動させる際、前記第１モータおよび前記第２モータは、前記ホッパを前記給送ローラから離間する方向へ前記付勢力に抗して移動させるように構成されていることを特徴とする。
【００１８】
本発明の第７の態様の給送方法は、付勢手段によって給送ローラ側へ付勢された移動可能なホッパを、前記付勢手段の付勢力によって前記給送ローラへ接近移動させるホッパ接近行程と、第１モータの駆動力によって前記給送ローラを回転させ、前記ホッパに載置された被記録媒体をピックアップし下流側の搬送ローラへ給送する給送工程と、第２モータの駆動力によって前記搬送ローラを回転させ、記録領域へ被記録媒体を搬送する搬送工程と、前記第１モータおよび前記第２モータのいずれか一方の駆動力よって、戻しレバーを回動させ、前記給送工程において重送された被記録媒体を前記ホッパに戻す戻しレバー回動工程と、該戻しレバー回動工程と少なくとも一部が時間的に重なり、該戻しレバー回動工程の前記第１モータおよび前記第２モータの他方の駆動力よって前記ホッパを、前記付勢力に抗して前記給送ローラから離間する方向へ移動させる第１ホッパ離間工程と、を具備していることを特徴とする。  
本発明の第７の態様によれば、第１の態様と同様の作用効果を得ることができる。
【００１９】
本発明の第８の態様の給送方法は、付勢手段によって給送ローラ側へ付勢された移動可能なホッパを、前記付勢手段の付勢力によって前記給送ローラへ接近移動させるホッパ接近行程と、第１モータの駆動力によって前記給送ローラを回転させ、前記ホッパに載置された被記録媒体をピックアップし下流側の搬送ローラへ給送する給送工程と、第２モータの駆動力によって前記搬送ローラを回転させ、記録領域へ被記録媒体を搬送する搬送工程と、前記第１モータおよび前記第２モータのいずれか一方の駆動力よって、戻しレバーを回動させ、前記給送工程において重送された被記録媒体を前記ホッパに戻す戻しレバー回動工程と、該戻しレバー回動工程と少なくとも一部が時間的に重なり、該戻しレバー回動工程の前記第１モータおよび前記第２モータの駆動力よって前記ホッパを、前記付勢力に抗して前記給送ローラから離間する方向へ移動させる第２ホッパ離間工程と、を具備していることを特徴とする。  
本発明の第８の態様によれば、第２の態様と同様の作用効果を得ることができる。
【発明を実施するための最良の形態】
【００２０】
以下、本発明の実施の形態を図面に基づいて説明する。  
図１に示すのは、本発明に係る液体噴射装置の一例である記録装置の概略を示す全体斜視図である。また、図２に示すのは、本発明に係る記録装置の概略を示す全体平面図である。  
記録装置１００の本体の背面側には、被記録媒体としての用紙Ｐが載置・積層される載置部としてのホッパ１０１が、上方を支点（２４１、２４１）（図４参照）に揺動可能に設けられている。ホッパ１０１の最上位に載置された用紙Ｐは、給送部１４４によって、搬送方向下流側である記録部側へ給送される。具体的には、載置された用紙Ｐは、給送用モータ１０４によって駆動する給送ローラ３１１（図３参照）によりピックアップされて、左右の用紙ガイド１０３、１０３に案内されながら搬送方向の下流側の搬送ローラ対３３０（図３参照）へと給送される。搬送ローラ対３３０まで給送された用紙Ｐは、搬送用モータ３７７（図４参照）によって駆動する搬送駆動ローラ３３１（図３参照）により、さらに搬送方向の下流側の記録部１４３へと搬送される。
【００２１】
記録部１４３は、用紙Ｐを下方から支持するプラテン１０５と、プラテン１０５の上方側に対向するように設けられたキャリッジ１０７とによって構成される。そのうち、キャリッジ１０７は、搬送される用紙Ｐの幅方向である主走査方向へ延びたキャリッジガイド軸（図示せず）に案内されながらキャリッジモータ１０２によって駆動する。さらに、キャリッジ１０７の底面部には、用紙Ｐへ向かってインクを吐出する記録ヘッド１０６が設けられている。記録部１４３で記録された用紙Ｐは、さらに下流側へと搬送され排紙ローラ（図示せず）によって記録装置１００の正面側から排出される。
【００２２】
また、記録装置１００の本体の下方には、インクカートリッジ（図示せず）が装填され、インク供給針（図示せず）を介してインク供給路（図示せず）へとインクが供給される。さらに、インクは、インク供給チューブ１１０を介してキャリッジ１０７の記録ヘッド１０６まで供給される。そして、記録ヘッド１０６のフラッシング時、およびクリーニング時には、１桁側に設けられ、記録部１４３の吐出特性を維持する吐出特性維持部としてのインク吸引装置２００においてインクの吐出・吸引動作が行われる。インク吸引装置２００は、キャップ部２０４を備え、キャップ部２０４を上下方向へ移動させて記録ヘッド１０６を封止することができるように構成されている。
【００２３】
図３に示すのは、本発明に係る給送装置の概略を示す側面図である。また、図４に示すのは、本発明に係る給送装置の動力伝達経路を示す平面図である。  
図３および図４に示す如く、給送装置の一例である給送部１４４には、前述したようにホッパ１０１から用紙Ｐをピックアップする側視Ｄ型の給送ローラ３１１が設けられている。そして、重送された用紙Ｐ’を分離し重送を防止する分離部３１２が設けられている。また、給送ローラ３１１によって送られる用紙Ｐを搬送ローラ対３３０へ案内する案内面部３２０が設けられている。  
ここで、本実施形態の分離部３１２は、所謂、土手分離を採用しているが、一定の負荷を伴って回転する所謂、リタードローラであってもよいのは勿論である。
【００２４】
また、ホッパ１０１は上方にホッパ支点軸２４１、２４１を有し基体部２４０に対して揺動可能に設けられている。そして、ホッパ１０１は、ホッパレバー部２１１の揺動によって給送ローラ３１１に対して接近する上昇動作および離間する下降動作を実行することができるように設けられている。具体的には、第１ホッパカム軸２２０に設けられた第１ホッパカム部２２１が図３における反時計方向に回転することにより、ホッパレバー軸２１０に設けられたホッパカムフォロア２１２に動力が伝達される。
【００２５】
そして、ホッパレバー軸２１０に設けられたホッパレバー部２１１が、ホッパばね２３０の付勢力に抗して図３における時計方向へ回動しホッパ１０１を下降させるように設けられている。ホッパ１０１の下降動作が完了した後、さらに第１ホッパカム軸２２０を反時計方向に回動させると、第１ホッパカム部２２１とホッパカムフォロア２１２との係合が外れる。従って、ホッパレバー部２１１は、鎖線で示す如くホッパばね２３０の付勢力によって反時計方向へ回動する。そして、ホッパ１０１は、ホッパレバー部２１１に押圧されて上昇動作を実行するように構成されている。
【００２６】
またさらに、用紙Ｐの幅方向に一対設けられた戻しレバー部３４１、３４１は、回動することによって案内面部３２０から突出可能に設けられ、重送された用紙Ｐ’をホッパ１０１まで押し戻すことができるように設けられている。具体的には、戻しレバーカム軸３５０に設けられた戻しレバーカム部３５１が図３における反時計方向に回転することにより、戻しレバー軸３４０に設けられた戻しレバーカムフォロア３４２に動力が伝達される。そして、戻しレバー軸３４０に設けられた戻しレバー部３４１、３４１が、戻しレバーばね３６０の付勢力に抗して図３における時計方向へ回動し重送された用紙Ｐ’をホッパ１０１まで押し戻すように設けられている。戻しレバー部３４１、３４１の押し戻し動作が完了した後、さらに戻しレバーカム軸３５０を反時計方向に回動させると、戻しレバーカム部３５１と戻しレバーカムフォロア３４２との係合が外れる。従って、戻しレバー部３４１、３４１は、鎖線で示す如く戻しレバーばね３６０の付勢力によって反時計方向へ回動し、案内面部３２０から退避した状態となる。
【００２７】
続いて、ホッパレバー部２１１および戻しレバー部３４１、３４１への動力伝達の構造について説明する。  
図４に示す如く、給送用モータ１０４および搬送用モータ３７７は、制御部３８０によって制御されている。そして、制御部３８０が給送用モータ１０４を駆動させると、給送用モータ１０４の軸に設けられた第１ピニオン３７０が回転し、外接する第１ギア３６９へ動力が伝達される。そして、第１ギア３６９と一体に設けられた第２ギア３７１から第２ギアと外接する第３ギア３７２へ動力が伝達される。さらに、第３ギア３７２から第３ギアと外接する第４ギア３７３へ動力が伝達される。
【００２８】
ここで、第４ギア３７３は、戻しレバーカム部３５１を一体に備えた戻しレバーカム軸３５０と一体に設けられている。従って、前述したように戻しレバーカム部３５１が、戻しレバーカムフォロア３４２と係合し戻しレバー部３４１、３４１を図３における時計方向に回動させることができる。  
尚、このときの第１ピニオン３７０の回転方向は、戻しレバーカム軸３５０を図３における反時計方向に回動させる方向であるとする。また、このとき、図示しないが、給送用モータ１０４の動力によって、給送ローラ３１１が図３における時計方向に回動するように構成されている。
【００２９】
一方、制御部３８０が搬送用モータ３７７を駆動させると、搬送用モータ３７７の軸に設けられた第２ピニオン３７４が回転し、外接する第５ギア３７５へ動力が伝達される。ここで、第５ギア３７５は、第１ホッパカム軸上に設けられている。従って、前述したようにホッパカム部が、ホッパカムフォロア２１２と係合しホッパレバー部２１１を図３における時計方向に回動させることができる。  
尚、搬送用モータ３７７の軸の他方には、第３ピニオン３７６が設けられており、搬送ローラ対３３０の搬送駆動ローラ３３１へ動力を伝達するように構成されている。また、第１ホッパカム軸２２０には、第５ギア３７５からの動力伝達状態を切り換えることができる公知のクラッチ装置３７８が設けられている。従って、搬送駆動ローラ３３１が回転中であっても、ホッパ１０１の上昇動作および下降動作を独立して実行することができる。
【００３０】
続いて、ホッパレバー部２１１および戻しレバー部３４１、３４１への動力伝達のタイミングについて説明する。図５に示すのは、給送用モータおよび搬送用モータのモータ別負荷を示すグラフ図である。ここで、グラフの縦軸はモータの負荷であり、横軸は給送用モータを基準とした駆動時間である。  
図５に示す如く、給送ローラ３１１がリセット位置の状態から、給送用モータ１０４の駆動力によって給送ローラ３１１が、図３における時計方向に回動し、リセット位置状態が解除される。即ち、図示しないクラッチの給送ローラ３１１への動力伝達状態が伝達状態へ切り替わる。ここで、「リセット位置」とは、側視Ｄ型の給送ローラ３１１の弦部３１１ａが案内面部３２０と対向する給送ローラ３１１の位置をいう。
【００３１】
また、搬送用モータ３７７の駆動によって、第１ホッパカム部２２１とホッパカムフォロア２１２との係合が外れる。このとき、ホッパ１０１が、ホッパばね２３０の付勢力によって上昇する。  
そして、回転し始めた給送ローラ３１１に、ホッパ１０１に載置された用紙Ｐが押し付けられることによって、用紙Ｐがピックアップされる。即ち、給送開始である。  
さらに給送ローラ３１１が回動すると、ピックアップされた用紙Ｐの先端が分離部３１２に突き当てられる。そして、所謂、土手分離によって、最上位の用紙Ｐのみが土手である分離部３１２を乗り越える。
【００３２】
用紙Ｐの先端が搬送ローラ対３３０まで送られると、スキュー取りが実行される。その後、搬送用モータ３７７の駆動力によって搬送駆動ローラ３３１が回動し、用紙Ｐを記録部１４３へ搬送する。  
そして、給送ローラ３１１が再びリセット位置へ戻る前に、ホッパ１０１の下降動作が開始される。ホッパ１０１の下降動作は、前述したように搬送用モータ３７７の駆動力によってホッパレバー部２１１をホッパばね２３０の付勢力に抗して図３における時計方向へ回動させることによって行われる。
【００３３】
ホッパ１０１の下降動作を開始した後、戻しレバー部３４１、３４１の用紙戻し動作を開始する。用紙戻し動作は、前述したように給送用モータ１０４の駆動力によって戻しレバー部３４１、３４１を戻しレバーばね３６０の付勢力に抗して図３における時計方向へ回動させることによって行われる。  
その後、用紙戻し動作、およびホッパ１０１の下降動作が完了する。  
そして、図示しないクラッチによって給送ローラ３１１への動力伝達が切断状態となり、再びリセット位置状態となる。
【００３４】
以上説明したように、ホッパ１０１の下降動作、および戻しレバー部３４１、３４１の用紙戻し動作は、時間的に重複するように構成されている。そして、それぞれの動作を、給送用モータ１０４および搬送用モータ３７７のそれぞれが独立して動力を伝達するように構成されている。従って、一方のモータのみに負荷が集中する虞がない。即ち、モータの負荷を、給送用モータ１０４および搬送用モータ３７７の複数のモータに分散するように構成されている。その結果、ホッパ１０１に載置・積層可能な用紙Ｐの枚数を増量するため、ホッパばね２３０を増強した場合であっても、高出力のモータへ変更することなく、ホッパ１０１の下降動作を実行することができる。
【００３５】
尚、第１ホッパカム部２２１と同様にホッパカムフォロア２１２と係合することができる第２ホッパカム部（図示せず）を備えた第２ホッパカム軸（図示せず）を、戻しレバーカム軸３５０と一体に設けてもよい。係る場合、搬送用モータ３７７の駆動力および給送用モータ１０４の駆動力が、ホッパレバー部２１１まで伝達される。即ち、搬送用モータ３７７および給送用モータ１０４が、ホッパ１０１の下降動作の仕事の負荷を等しく分散して実行することが可能である。  
また、上記実施形態では、給送用モータ１０４が用紙戻し動作を実行し、搬送用モータ３７７がホッパ１０１の下降動作を実行するように構成したが、給送用モータ１０４がホッパ１０１の下降動作を実行し、搬送用モータ３７７が用紙戻し動作を実行するように構成してもよいのは勿論である。
【００３６】
本実施形態の給送装置（１４４）は、付勢手段としてのホッパばね２３０に付勢され移動可能なホッパ１０１を、ホッパばね２３０の付勢力によって給送ローラ側へ接近移動させ、第１モータとしての給送用モータ１０４の駆動力によって回転する給送ローラ３１１がホッパ１０１に載置された被記録媒体としての用紙Ｐをピックアップし下流側の搬送ローラとしての搬送ローラ対３３０へ給送し、第２モータとしての搬送用モータ３７７の駆動力によって回転する搬送ローラ対３３０の搬送駆動ローラ３３１が用紙Ｐを記録領域としての記録部１４３へ搬送する給送装置（１４４）であって、給送用モータ１０４および搬送用モータ３７７のいずれか一方は、重送された用紙Ｐ’をホッパ１０１に戻すことが可能な戻しレバーとしての戻しレバー部３４１、３４１を回動させ、戻しレバー部３４１、３４１を回動させる際、給送用モータ１０４および搬送用モータ３７７の他方は、ホッパ１０１を給送ローラ３１１から離間する方向へホッパばね２３０に抗して移動させるように構成されていることを特徴とする。
【００３７】
また、本実施形態の給送装置（１４４）は、付勢手段としてのホッパばね２３０に付勢され移動可能なホッパ１０１を、ホッパばね２３０の付勢力によって給送ローラ側へ接近移動させ、第１モータとしての給送用モータ１０４の駆動力によって回転する給送ローラ３１１がホッパ１０１に載置された被記録媒体としての用紙Ｐをピックアップし下流側の搬送ローラとしての搬送ローラ対３３０へ給送し、第２モータとしての搬送用モータ３７７の駆動力によって回転する搬送ローラ対３３０の搬送駆動ローラ３３１が用紙Ｐを記録領域としての記録部１４３へ搬送する給送装置（１４４）であって、給送用モータ１０４および搬送用モータ３７７のいずれか一方は、ホッパ１０１を給送ローラ側へ接近移動させ、重送された用紙Ｐ’をホッパ１０１に戻すことが可能な戻しレバー部３４１、３４１を回動させ、戻しレバー部３４１、３４１を回動させる際、給送用モータ１０４および搬送用モータ３７７は、ホッパ１０１を給送ローラ３１１から離間する方向へホッパばね２３０に抗して移動させるように構成されていることを特徴とする。
【００３８】
またさらに、給送装置（１４４）において、搬送用モータ３７７からホッパ１０１への動力伝達経路の第５ギア３７５には、動力伝達切り替え装置としてのクラッチ装置３７８が設けられていることを特徴とする。  
本実施形態の記録装置１００は、載置された用紙Ｐをピックアップし給送する給送部１４４と、給送部１４４から給送された用紙Ｐに記録ヘッド１０６により記録を実行する記録部１４３と、を備えた記録装置１００であって、給送部１４４は、上記給送装置（１４４）を備えていることを特徴とする。
【００３９】
本実施形態の給送方法は、付勢手段としてのホッパばね２３０によって給送ローラ側へ付勢された移動可能なホッパ１０１を、ホッパばね２３０の付勢力によって給送ローラ３１１へ接近移動させるホッパ接近行程と、第１モータとしての給送用モータ１０４の駆動力によって給送ローラ３１１を回転させ、ホッパ１０１に載置された用紙Ｐをピックアップし下流側の搬送ローラ対３３０へ給送する給送工程と、第２モータとしての搬送用モータ３７７の駆動力によって搬送ローラ対３３０の搬送駆動ローラ３３１を回転させ、記録領域へ用紙Ｐを搬送する搬送工程と、給送用モータ１０４および搬送用モータ３７７のいずれか一方の駆動力よって、戻しレバー部３４１、３４１を回動させ、前記給送工程において重送された用紙Ｐ’をホッパ１０１に戻す戻しレバー回動工程と、該戻しレバー回動工程と少なくとも一部が時間的に重なり、該戻しレバー回動工程の給送用モータ１０４および搬送用モータ３７７の他方の駆動力よってホッパ１０１を、ホッパばね２３０の付勢力に抗して給送ローラ３１１から離間する方向へ移動させる第１ホッパ離間工程と、を具備していることを特徴とする。
【００４０】
また、本実施形態の給送方法は、付勢手段としてのホッパばね２３０によって給送ローラ側へ付勢された移動可能なホッパ１０１を、ホッパばね２３０の付勢力によって給送ローラ３１１へ接近移動させるホッパ接近行程と、第１モータとしての給送用モータ１０４の駆動力によって給送ローラ３１１を回転させ、ホッパ１０１に載置された用紙Ｐをピックアップし下流側の搬送ローラ対３３０へ給送する給送工程と、第２モータとしての搬送用モータ３７７の駆動力によって搬送ローラ対３３０の搬送駆動ローラ３３１を回転させ、記録領域へ用紙Ｐを搬送する搬送工程と、給送用モータ１０４および搬送用モータ３７７のいずれか一方の駆動力よって、戻しレバー部３４１、３４１を回動させ、前記給送工程において重送された用紙Ｐ’をホッパ１０１に戻す戻しレバー回動工程と、該戻しレバー回動工程と少なくとも一部が時間的に重なり、該戻しレバー回動工程の給送用モータ１０４および搬送用モータ３７７の駆動力よってホッパ１０１を、ホッパばね２３０の付勢力に抗して給送ローラ３１１から離間する方向へ移動させる第２ホッパ離間工程と、を具備していることを特徴とする。
【００４１】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４２】
【図１】本発明に係る記録装置の概略を示す全体斜視図。
【図２】本発明に係る記録装置の概略を示す全体平面図。
【図３】本発明に係る給送装置の概略を示す側面図。
【図４】本発明に係る給送装置の動力伝達経路を示す平面図。
【図５】本発明に係る給送装置のモータ別負荷を示すグラフ図。
【図６】従来技術における給送装置のモータ負荷を示すグラフ図。
【符号の説明】
【００４３】
１００  記録装置、１０１  ホッパ、１０２  キャリッジモータ、１０３  用紙ガイド、
１０４  給送用モータ、１０５  プラテン、１０６  記録ヘッド、１０７  キャリッジ、
１１０  インク供給チューブ、１４３  記録部、１４４  給送部、
２００  インク吸引装置、２０４  キャップ部、２１０  ホッパレバー軸、
２１１  ホッパレバー部、２１２  ホッパカムフォロア、２２０  第１ホッパカム軸、
２２１  第１ホッパカム部、２３０  ホッパばね、２４０  基体部、
２４１  ホッパ支点軸、３１１  給送ローラ、３１１ａ  弦部、３１２  分離部、
３２０  案内面部、３３０  搬送ローラ対、３３１  搬送駆動ローラ、
３４０  戻しレバー軸、３４１  戻しレバー部、３４２  戻しレバーカムフォロア、
３５０  戻しレバーカム軸、３５１  戻しレバーカム部、３６０  戻しレバーばね、
３６９  第１ギア、３７０  第１ピニオン、３７１  第２ギア、３７２  第３ギア、
３７３  第４ギア、３７４  第２ピニオン、３７５  第５ギア、３７６  第３ピニオン、
３７７  搬送用モータ、３７８  クラッチ装置、３８０  制御部、Ｐ  用紙、
Ｐ’  重送された用紙
【図１】
2008094509.tif 000003
【図２】
2008094509.tif 000004
【図３】
2008094509.tif 000005
【図４】
2008094509.tif 000006
【図５】
2008094509.tif 000007
【図６】
2008094509.tif 000008